(57)【特許請求の範囲】
【請求項１】
底部クリート部材と、一様の幅を有する中間クリート部材と、上部クリート部材からなり、前記中間クリート部材の両端フランジ部と中間部で締め付けて前記底部クリート部材と前記中間クリート部材の間に二条のケーブルを固定し、前記中間クリート部材と前記上部クリート部材の間に一条のケーブルを固定する構造において、
前記中間クリート部材は、前記二条のケーブルを各々別個に固定するよう前記中間部で分割された左右のクリート片からなることを特徴とする三条一括型クリート。
【請求項２】
前記中間クリート部材は、前記左右のクリート片と、前記一条のケーブルを受ける上側クリート片とでなる、請求項１記載の三条一括型クリート。
【発明の詳細な説明】
【０００１】
【発明の属する技術分野】
本発明は、三条の電力ケーブルを固定するための三条一括型クリートに関する。
【０００２】
【従来の技術】
図３は、従来の三条一括型クリートの例を示したもので、上面に二個の断面半円形状の凹部を形成した底部クリート部材１と、底面に二個の断面半円形状の凹部を形成し、且つ、上下中央に同形状の凹部を形成した中間クリート部材２と、底面中央部に断面半円形状の凹部を形成した上部クリート部材３とを組み合わせ、底部クリート部材１と中間クリート部材２の相互、及び、中間クリート部材２と上部クリート部材３の相互をボルト・ナットで締め付けることにより、三個の円形状ケーブル挿通孔４，５，６を形成するようにしたものである。
【０００３】
上記の説明から明らかなとおり、この三条一括型クリートは、底部クリート部材１と中間クリート部材２で二条のケーブルを一括して拘束する構造である。
【０００４】
【発明が解決しようとする課題】
従来；図３の三条一括型クリートでは、中間クリート部材２が、底部クリート部材１との間で二条のケーブルを一括して固定する役割を果たしている。
【０００５】
このような構造では、下側二条のケーブルを布設した後でなければ、中間クリート部材２の固定が行えない。よって、現状では、左右いずれかの一条のケーブルを布設した後に仮の固定を行い、二条目のケーブルを布設した後に当該中間クリート部材２の本固定を行うという二度の手間を必要としており、作業性に難点があった。
【０００６】
そこで本発明の目的は、ケーブルを一条ずつ固定することができ、作業性の向上を図れる三条一括型クリートを提供することにある。
【０００７】
【課題を解決するための手段】
本発明は上記目的を達成するため、底部クリート部材と、一様の幅を有する中間クリート部材と、上部クリート部材からなり、前記中間クリート部材の両端フランジ部と中間部で締め付けて前記底部クリート部材と前記中間クリート部材の間に二条のケーブルを固定し、前記中間クリート部材と前記上部クリート部材の間に一条のケーブルを固定する構造において、前記中間クリート部材は、前記二条のケーブルを各々別個に固定するよう前記中間部で分割された左右のクリート片からなることを特徴とする三条一括型クリートを提供する。すなわち、前記中間クリート部材を、二条のケーブルを各々別個に固定するよう分割し、もって、左右二条のケーブルの固定の際に仮固定の作業を省けるようにしてなるものである。
【０００８】
また、前記中間クリート部材を、二条のケーブルを個別に固定する左右分割構造の下側クリート片と一条のケーブルを受ける上側クリート片とでなる構造を提供する。
【０００９】
尚、前記の用語において、「上部」、「上側」、「下側」などは便宜上用いたまでであって、これらの用語によって位置関係を限定するものではない。例えば、前記の用語をそのまま限定的に解釈すれば、水平布設のケーブル用クリートに限られるが、これ以外に垂直布設や傾斜地布設のケーブル用クリートにも適用可能であり、この場合、前記の用語は布設形態に応じて変えられる。
【００１０】
【発明の実施の形態】
図１は、本発明に係る三条一括型クリートの実施例を示したもので、図２にその分解状況を示している。尚、図３の三条一括型クリートと同じ部分には、図３と同一の符号を用いているので、図３においての前述の説明も併せ参照されたい。
【００１１】
この実施例の三条一括型クリートは、底部クリート部材１´と中間クリート部材２´と上部クリート部材で構成されるクリートの、当該中間クリート部材２´を、下側の左右のクリート片２１，２２と上側クリート片２３に三分割してなるものである。
【００１２】
左右のクリート片２１，２２は、それぞれ同じ形状であって、図２（ハ）（ニ）（ホ）に示したように、アーチ形状にして底面に断面半形状の凹部を形成し、また、ボルト通し孔を形成した両端フランジのうち、一方側フランジにおいて幅をほぼ１／２にして後述する組み立ての際の相手側クリート片との抱き合わせを可能にしたものである。また、アーチ部分の外周側にはネジ孔が設けられている。
【００１３】
このように各部を形成したクリートは、底部クリート部材１´の左右二列の凹部に対応してクリート片２１，２２を左右対称に配し、両クリート片２１，２２のフランジ同士を抱き合わせにして一連のものとなるようにしている。
【００１４】
しかして、これらクリート片２１，２２は各々独立して取り付けられる。即ち、左側クリート片２１の両端フランジ部と底部クリート部材１´の左側凹部の左右；端部フランジ及び中間部分との相互をボルトで締め付けることにより、左側の円形状ケーブル挿通孔４を形成する。また、右側のクリート片２２の両端フランジ部と底部クリート部材１´の右側凹部の左右；端部フランジ及び中間部分との相互をボルトで締め付けることにより、右側の円形状ケーブル挿通孔５を形成する。ボルト締め付けのため、底部クリート部材１´の両端フランジ部及び左右凹部の中間部分にネジ孔が形成されている（図２参照）。
【００１５】
さらに、上側クリート片２３は、ほぼ船底状にして上面に断面半円形状の凹部を形成したもので、これを上記のようにして組み付けられた左右クリート片２１，２２の上側に載せ、両端フランジ部のボルト通し孔と左右クリート片２１，２２の上部ネジ孔を利用してボルト締め付けを行い、もって、上面にケーブルを受ける中間クリート部材２´の組み立てが完了する。従って、上側クリート片２３の上に上部クリート部材３を組み合わせボルトの締め付けを図れば、残り一個の断面円形状のケーブル挿通孔６が形成される。組み立て完成状態を図１に示す（但し、ボルトは省略）。
【００１６】
上記のような構造の、中間クリート部材２´は、一枚岩のクリート部材を三分割した程度に等しく、通常用いられている三条一括型クリート（図３）とほぼ同等の寸法に収めることが可能である。
【００１７】
以上のような構成の三条一括型クリートによれば、三条のケーブルを一条ずつ固定することができるため、作業性の向上が図れ、特に、一相毎のケーブル固定が必要な垂直布設部や傾斜布設部に適用すると効果的である。
【００１８】
【発明の効果】
以上説明したように本発明によれば、ケーブルを一条ずつ固定することができ、作業性の向上を図れる三条一括型クリートを提供するという所期の課題；目的を達成することができ、これを採用しての実用効果は相当に大きいものといえる。
【図面の簡単な説明】
【図１】本発明に係る三条一括型クリートの実施例を示し、（イ）は平面図、（ロ）は正面図。
【図２】図１における三条一括型クリートの分解状況を示し、（イ）は中間クリート部材と底部クリート部材の平面図、（ロ）は同正面図、（ハ）は中間クリート部材の平面図、（ニ）は同正面図、（ホ）は同右側面図。
【図３】三条一括型クリートの従来例を示す正面図。
【符号の説明】
１´  底部クリート部材
２´  中間クリート部材
３  上部クリート部材
４  ケーブル挿通孔（左側）
５  ケーブル挿通孔（右側）
６  ケーブル挿通孔（上側）
２１  中間クリート片（左側）
２２  中間クリート片（右側）
２３  中間クリート片（上側）
【図１】
0003575383.tif 000002
【図２】
0003575383.tif 000003
【図３】
0003575383.tif 000004